(57)【要約】  プラスチックリングを伸張する装置は、押し込み手段（２）に堅固に拘束された複数のリブ（４）と装着本体（５）上に提供された複数の溝（６）とに沿って往復摺動可能な押し込み手段（２）および装着本体（５）を備える。装着本体（５）は、外径（Ｄ）を有する基部（７ａ）と、頂部（７ｂ）とを有する第１の実質上円錐形の部分（７）を有する。装着本体（５）は、さらに、第１の円錐形の部分（７）に隣接し且つ近位端部（８ａ）と遠位端部（８ｂ）とを有する第２の部分（８）を備える。【特許請求の範囲】
【請求項１】
プラスチックリングを伸張する装置であって、
内側に複数のリブ（４）が発達した中空本体（３）によって画定される押し込み手段（２）と、
方向（Ｘ−Ｘ）に沿って主に発達した、少なくとも１つのゴムバンド（１００）のための装着本体（５）であって、対応する複数の溝（６）上での前記複数のリブ（４）の、方向（Ｘ−Ｘ）に沿った摺動を容易にするための複数の溝（６）を有する装着本体（５）と
を備え、該装着本体（５）が、
外径（Ｄ）を有する基部（７ａ）と、頂部（７ｂ）とを有する第１の実質上円錐形の部分（７）と、
外径（Ｄ’）を有する近位端部（８ａ）と、外径（ｄ）を有する遠位端部（８ｂ）とを有し、前記近位端部（８ａ）が、前記遠位端部（８ｂ）の外径（ｄ）よりも大きい前記外径（Ｄ’）を有する、第２の部分（８）とを備え、
前記近位端部（８ａ）が前記基部（７ａ）に隣接し、該基部（７ａ）の外径（Ｄ）が前記近位端部（８ａ）の外径（Ｄ’）と同じ長さを有し、
前記第２の部分（８）が円錐台形である、装置。
【請求項２】
前記押し込み手段（２）によって前記ゴムバンド（１００）を装着する際に、最初に前記第１の実質上円錐形の部分（７）に沿って前記ゴムバンド（１００）を伸張し、その後、前記第２の部分（８）に沿って前記ゴムバンド（１００）を弾性復帰させるのを容易にするために、前記第２の部分（８）の第１の近位端部（８ａ）が前記第１の実質上円錐形の部分（７）の基部（７ａ）に一致する、請求項１に記載の装置。
【請求項３】
さらに、前記第２の部分（８）の下流に位置する円筒形部分（９）を備える、請求項１に記載の装置。
【請求項４】
前記複数の溝（６）が前記装着本体（５）全体に沿って延びる、請求項３に記載の装置。
【請求項５】
前記第１の円錐形の部分（７）および第２の部分（８）の全長にわたって前記押し込み手段（２）を摺動させるのを容易にするために、前記複数の溝（６）に属する各溝が、前記頂部（７ｂ）の近傍に位置する第１の端部（６ａ）と、前記円筒形部分（９）の近傍を末端とする第２の端部（６ｂ）とを有する、請求項４に記載の装置。
【請求項６】
前記遠位端部（８ｂ）が、組織の弾性結紮用ピストルのチューブ（２００）の内側への収容を容易にするための座部（１０）を有する、請求項１に記載の装置。
【請求項７】
さらに、前記第１の円錐形の部分（７）の断面の広がりによって画定される事前装着用手段（１１）であって、好適には前記頂部（７ｂ）の近傍において、該頂部（７ｂ）と前記基部（７ａ）との間に位置する事前装着用手段（１１）を備える、請求項１に記載の装置。
【請求項８】
前記事前装着用手段が好適にはオジーブ形の円錐本体（１２）によって画定される、請求項１に記載の装置。
【請求項９】
前記実質上円錐形の第１の部分（７）が、該円錐形の第１の部分（７）の第１の母線を画定する第１の複数のライザ（１３）によって画定される、請求項１に記載の装置。
【請求項１０】
前記実質上円錐形の第２の部分が、該円錐形の第２の部分（８）の第２の母線を画定する第２の複数のライザ（１４）によって画定される、請求項１に記載の装置。
【請求項１１】
前記第１の複数のライザ（１３）および第２の複数のライザ（１４）が、前記装着本体（５）を軽量にするためのそれぞれの凹部（１５）を内部に画定する、請求項９および１０に記載の装置。
【発明の詳細な説明】
【技術分野】
【０００１】
本発明は、弾性リングを伸張する装置に関し、特に痔疾の治療に適用される。
【背景技術】
【０００２】
先行技術には、解放されるべき１つ以上のゴムリングを操作し且つ支持するための把持ハンドルに接続されたコマンドチューブ（command tube）を備える弾性リング（ゴムバンド）を解放するピストル型ガンが記載されている。
コマンドチューブは、内側チューブであって、ゴムリングが当該内側チューブの自由端部上に予め配置される内側チューブと、ゴムリングの解放を決定すべく内側チューブに対して前進せしめられる外側チューブとを備える。ハンドルは、内側チューブに固定され、外側チューブの前進を命じるべく操作員が手動で作動可能なトリガ（trigger）を有する。
ゴムリングを装着するために、実質上円錐形の先端部が、公知であり、ゴムリングの解放ピストンの先端部に結合されるように設計されている。
【０００３】
こうした装置の一例は独国特許第９２０５４５３号明細書に記載されており、これは、ゴムリングを伸張する装置を例示している。
この装置は、少なくとも円錐形の領域と円筒形の領域とを有し、複数の摺動ガイドを備えた先端部を備える。
この装置は、対応する複数のガイドの内側で平行移動可能な複数のリブによって先端部に沿って摺動可能な押し込み手段によって完成する。
【０００４】
上記の種類の装置はいくつかの欠点を有する。
第１に、先端部の幾何学的構造のため、装着段階で操作員の特別な注意力が必要になる。
リングを使用する際には、リングを強制的に伸張するために先端部の先頭から末尾まで押し込み手段を完全に摺動させる必要がある。
ゴムリングは、先端部の徐々に拡大する横断面と交差しなければならないため、ハウジングの座部に到達するまで押し込み手段を長時間にわたって使用する必要がある。
例えばユーザ側の一瞬の不注意によって、ゴムリングから押し込み手段を離した場合、リングは予め想定された位置から摺動して戻る。
【０００５】
同様に、リング装着操作に関する限り、先端部の先頭部分ですら欠点を有する。
操作員が先端部の第１の円筒形領域にリングを予め装着する時、リングがその位置から外れて床面に落ちることがあるが、この場合操作員は新しいリングを手にとって装着操作を再度行わなければならない。
【０００６】
また、先端部の末尾部分が第１および第２の円筒形領域を備え、第２の領域は、解放ピストル内に挿入される第１の領域よりも小さい直径を有するという事実は、解放装置に提供されたハウジング座部にリングを配置する操作についての欠点を構成する。
２つの円筒形領域の拡大した部分に解放装置の端部を当接配置している操作員が先端部を離すことにより、ゴムリングが解放ピストル上に正確に当接せず、むしろ第２の円筒形領域上に落ちることがある。
上記の状況では、リングが先端部の円筒形領域に堅固に固定されるので、ゴムリングを正しい位置に戻す操作は、それを実行する操作員にとって不都合なことに困難である。
【発明の概要】
【発明が解決しようとする課題】
【０００７】
この文脈で、本発明の根底にある技術的目的は、上記の先行技術の欠点を除去する、弾性材料（ゴム）リングを伸張する装置を提供することである。
【０００８】
特に、本発明の目的は、ゴムリングの装着操作を容易にする、弾性リングを伸張する装置を提供することである。
【０００９】
本発明のさらなる目的は、事前装着の段階において操作員の作業を容易にする、ゴムリングを伸張する装置を提供することである。
【００１０】
本発明のさらなる目的は、操作員による解放ピストルへのリングの装着を容易にする、ゴムリングを伸張する装置を提供することである。
【００１１】
本発明のさらなる目的は、リングを誤って装着した場合、操作員が簡単かつ即座にリングを正しい位置に戻せるようにする、ゴムリングを伸張する装置を提供することである。
【課題を解決するための手段】
【００１２】
設定された技術的目的および具体的な目的は、添付の特許請求の範囲の１項以上の請求項において記載された技術的特徴を備える、ゴムリングを伸張する装置によって実質上達成される。
【図面の簡単な説明】
【００１３】
【図１】本発明の装置の側面図である。
【図２】本発明に係る図１の装置の第２の実施形態の側面図である。
【図３】ゴムリングを装着するシミュレーションを例示する、図２の装置の側面図である。
【図４】使用状態における図２の装置の側面図である。
【発明を実施するための形態】
【００１４】
本発明のさらなる特徴および利点は、添付の図面中に例示される、ゴムリングを伸張する装置の好適であるが非排他的な実施形態に付随する非限定的な説明から明らかになるだろう。
図面を参照すると、１が、本発明の、ゴムリング１００を伸張する装置の全体を示す。
本装置は、例えば患者の肛門粘膜といった組織を結紮すべく解放ピストン上にゴムリングを装着する際に利用される。
本発明が、肛門に関連する痔疾の治療において利用されることは有利である。
【００１５】
装置１は装着本体５と押し込み手段２とを備え、押し込み手段２は、少なくとも１つのゴムリング１００を装着すべく本体５上で摺動可能である。
押し込み手段２は、内側に複数のリブ４が発達した中空本体３を備える。
中空本体３は、好適にはチューブ状の形状を有する。
中空本体３は、押し込み手段２の内側での装着本体５の摺動を容易にするため、装着本体５の外径よりも大きな内径を有する。
【００１６】
添付図面に見られるように、複数のリブ４は、中空本体３の内側から始まり、中空本体３の中心に向かって放射状に発達する。
複数のリブ４は中空本体３の周囲にわたって均等に離間され、好適にはリブは少なくとも４つである。
４つのリブは中空本体３の周囲にわたって互いに９０度間隔で配置されている。
【００１７】
各リブ４は、それぞれの頂部４ａが装着本体５に面する部分を末端とする実質上矩形の縁部を有する。
各頂部４ａは、弾性リング１００に接触し、それを装着本体５に沿って持ち上げる間、以下さらに詳細に説明するように、装着本体に提供された対応する溝６と協働してリング１００を押し込む。
【００１８】
装着本体５は、主要な方向Ｘ−Ｘに沿った発達方向を有する。
装着本体５は、押し込み手段２の複数のリブ４の、方向Ｘ−Ｘに沿った摺動を容易にすべく、主要な方向Ｘ−Ｘに平行な方向を各々有する複数の溝６を有する。
複数の溝６の各溝は径方向の進行を示す。
複数の溝６の各溝は装着本体５上で均一に延び、好適には前後の溝から９０度だけ離間される。
【００１９】
装着本体５は、実質上円錐形の第１の部分７と、第１の部分７の下流に位置する第２の部分８と、第２の部分８の下流に位置する円筒形部分９とを備える。
実質上円錐形の第１の部分７は、外径Ｄを有する基部７ａと頂部８ｂとを有する。
近位端部８ａは外径Ｄ’を有し、遠位端部Ｄ’は外径ｄを有する。
近位端部８ａの外径Ｄ’は遠位端部８ｂの外径ｄよりも大きい。
【００２０】
図に見られるように、第２の部分８は好適には円錐台形状を示す。
しかし、以下の発明の保護範囲を逸脱することなく、第２の部分８は、第１の実質上円錐形のゾーン７の基部７の外径Ｄから始まって、徐々に縮小する断面を有する。
別言すれば、第２の部分８は、近位端部８ａから遠位端部８ｂまで、テーパー状の横断面を有する。
第２の円錐形の部分８の近位端部８ａは、第１の実質上円錐形の部分７に面する。
【００２１】
図４に見られるように、第１の部分８の遠位端部８ｂは、組織（図示せず）を結紮するための解放ピストルのチューブ２００に結合する。
結合方式は以下により詳細に説明される。
【００２２】
図４を特に参照すると、近位端部８ａは基部７ａに隣接し、基部７ａの外径Ｄは近位端部８ａの外径Ｄ’と同じ大きさである。
より正確には、基部７ａの外径Ｄは近位端部８ａの外径Ｄ’に一致する。
この態様では、本体５へのゴムリング１００の装着が非常に容易になる。
実際、押し込み手段２を押し込むことと、ゴム自体の弾性力の効果とによって、実質上円錐形の第１の部分７にかかったゴム１００は第２の部分８に沿って自発的に平行移動してチューブ状本体２００のハウジングの座部に到達する。
結果として、押し込み手段２は、装着本体に沿った行程の一部についてのみ操作される。すなわち、押し込み手段２は、ゴムリング１００が第２の領域８の外径Ｄ’にかかるまで操作される。
【００２３】
しかし、複数の溝６の構造によって、押し込み手段２は装着本体５全体に沿って摺動できる。
これは、操作員が、従来の方法で、装置１を見ないで装着を行い、患者に注意を集中できるようにするためである。
【００２４】
複数の溝６を参照すると、各溝６は装着本体５全体にわたって延びる。
より正確には、複数の溝６に属する各溝は、実質上円錐形の第１の部分７の頂部７ｂの近傍に位置する第１の端部６ａと、円筒形部分９の近傍を末端とする第２の端部６ｂとを有する。
少なくとも１つの溝は、他の溝の第２の端部６ｂの前を末端とする当接要素６ｃを有する。
【００２５】
この態様では、押し込み手段２の行程終端止め部（endrun stop）を提供することによって、装着本体５に対する押し込み手段２の進路を阻止することができる。
同様に、これら２つの構成要素は、装置１が受け入れられる時に装着本体５または押し込み手段２が他方の構成要素に拘束されるように、２つの構成要素が相互に拘束された状態で予め組み立てられることができる。
【００２６】
第２の部分８は遠位端部８ｂに座部１０を有する。
座部１０は、実質上環状であり、組織の弾性結紮のためピストル（図示せず）のチューブ２００のハウジング座部として機能する。
【００２７】
図４に見られるように、第２の部分８の第２の遠位端部８ｂはチューブ２００と相互に貫入できる。
この態様では、遠位端部８ａとピストルのチューブ２０１との間には空間が形成されないので、ゴムリング１００をチューブ２００の周囲に配置することが容易になる。
【００２８】
装着本体５がチューブ２００から偶発的に外れた場合、ゴムリング１００は押し込み手段２の作用によって円筒形部分９上に位置しようとする。
複数のガイド６が長く延びているため、操作員は、押し込み手段２の行程をたどって円筒形本体９に沿ってゴムリング１００を押し込み、ゴムリング１００を容易に正しい位置に戻すことができる。
【００２９】
実質上円錐形の第１の部分７は、事前装着手段１１を有する。
事前装着手段１１は、基部７と頂部７ｂとの間に位置し、実質上円錐形の第１の部分７の断面の広がりによって画定される。
事前装着手段１１は、より好適には頂部７ｂの近傍に位置する。
図面に見られるように、事前装着手段は好適にはオジーブ形の（ogive）本体１２によって画定される。
【００３０】
この態様では、操作員はゴムリング１００を装着本体５上に挿入し、それを事前装着手段１１の下流に配置した後、押し込み手段２を利用してピストル上へのゴムリングの装着を完了することができる。
同じ態様において、事前装着手段によって、装置１は使い捨て用途について製造されることができる。
装置は、ゴムリング１００がすでに装着本体５上に設置され、事前装着手段１１の下流に配置された状態で、製造業者によって直接供給される。
この態様では、操作員は、ゴムリングに触れることなく、装着本体５に沿って押し込み手段２を摺動させることによってゴムリング１００を装着できる。
【００３１】
図１および図３に見られるように、ゴムリング１００を伸張する装置１はさらなる実施形態を有する。
実質上円錐形の第１の部分７は、第１の複数のライザ（riser）１３によって画定される。
各ライザ１３は均一に細分され、対応する溝６を取り囲んでいる。
後部から見ると、すなわち、頂部７ｂが言わばシートに入っている状態で、複数のライザ１３は十字形を取り囲んでおり、この十字形は複数の溝６の空間によって画定される。
別言すれば、複数のライザ１３はＬ形の対を画定し、各対は各々、仮想の水平面または垂直面を基準として、隣接する対に対してミラー配置される。
第１の複数のライザ１３は、円錐形の部分の第１の母線Ｇを画定する。
同様に、第２の部分８も、第２の複数のライザ１４によって画定される。
第２の複数のライザ１４は好適には第１の複数のライザ１３に続いて同じ配置を有する。
第２の複数のライザ１４も好適には円錐台形の第２の部分８の第２の母線Ｇ’を画定する。
第１の複数のライザ１３および第２の複数のライザ１４は、装着本体を軽量にするため、内部に凹部１５を画定する。
凹部１５は装着本体５を軽量にするだけでなく、装着本体５に沿って摺動する際のゴムリング１００の接触面積を減少させる。
【００３２】
図４に図式化された、装置の機能は以下の通りである。
操作員は、ゴムリングの内側に第１の円錐形の部分７の頂部７ｂを挿入することによってゴムリング１００を受け取る。
そして、操作員は、リングが事前装着手段１１を通過するまで、第１の円錐形の部分７に沿ってゴムリングを押す。
さらなる実施形態では、装着本体５は、事前装着手段１１の下流に配置されたゴムリング１００を予め有してもよい。
その後、操作員は作業を進め、結紮ピストル（図示せず）上に装着本体５を結合させる。
この段階では、ピストルのチューブ２０１の内側に円筒形部分を結合するだけで十分である。
チューブ２００が、第２の部分８に存在する座部１０に衝突する時、ピストルは、ゴムリングを装着される態勢になる。
その後の段階で、操作員は、押し込み手段２を持って（図１にＦ１で示される方向に）装着本体５に沿って摺動させ、実質上円錐形の第１の部分７にかかるまでリングを押し込む。
リング１００は、第２の部分８の外径Ｄ’を通過するや否や、その弾性のおかげで、操作員側がさらに操作することなく、自発的に第２の部分８全体に沿って摺動し、チューブ２０１上で止まる。
【００３３】
本発明は上記の目的を達成し、先行技術において指摘された欠点を除去する。
まず、装着本体５の構造によって、結紮ピストルのチューブ２００上にゴムリング１００を容易に装着できる。
実質上円錐形の第１の部分７の下流で断面が縮小する断面配置によって、リング１００は、円錐形の部分７を通過した後、チューブ２００に配置されるまで自発的に平行移動するようになる。
遠位端部８ｂに配置された座部１０は、チューブ２００へのゴムリング１００の装着エラーの発生を劇的に減少させる。
チューブ２００の一部が座部１０の内部に結合可能なため、装着本体５とチューブ２００との間の表面の連続性が得られ、ゴムリング１００が円筒形の末端部分９上に定置されることが妨げられる。
たとえゴムリング１００が誤って円筒形の部分９上に位置したとしても、溝６が、装着本体５全体にわたって長く延びた構造であるため、本体５上での押し込み手段２の操作を継続するだけで、ゴムリング１００を簡単に正しい位置に戻すことができる。
事前装着手段１１が存在することによって、装着本体５へのゴムリング１００の装着操作は容易になる。
一旦リング１００を手作業で挿入して事前装着手段１１の下流に押し込めば、リング１００を新たに取り外すことなく装着本体５を操作できる。
同様に、事前装着手段が存在することによって、ゴムリング１００を伸張する使い捨て装置が実現可能である。
最後に、装着本体５の第２の実施形態の複数のライザ１３および１４は、装着本体５の外面すなわちゴムリング１００との接触面を劇的に縮小する。
このため、装着操作時の摩擦を減少させ、その結果、装着操作時にゴムリング１００が受ける引っ張り応力を減少させることが容易になる。
【図１】
2012520110.tif 000002
【図２】
2012520110.tif 000003
【図３】
2012520110.tif 000004
【図４】
2012520110.tif 000005
【図５】
2012520110.tif 000006
【図６】
2012520110.tif 000007
【図７】
2012520110.tif 000008
【図８】
2012520110.tif 000009
【図９】
2012520110.tif 000010
【手続補正書】
【提出日】平成23年9月21日(2011.9.21)
【手続補正１】
【補正対象書類名】明細書
【補正対象項目名】全文
【補正方法】変更
【補正の内容】
【発明の詳細な説明】
【技術分野】
【０００１】
本発明は、弾性リングを伸張する装置に関し、特に痔疾の治療に適用される。
【背景技術】
【０００２】
先行技術には、解放されるべき１つ以上のゴムリングを操作し且つ支持するための把持ハンドルに接続されたコマンドチューブ（command tube）を備える弾性リング（ゴムバンド）を解放するピストル型ガンが記載されている。
コマンドチューブは、内側チューブであって、ゴムリングが当該内側チューブの自由端部上に予め配置される内側チューブと、ゴムリングの解放を決定すべく内側チューブに対して前進せしめられる外側チューブとを備える。ハンドルは、内側チューブに固定され、外側チューブの前進を命じるべく操作員が手動で作動可能なトリガ（trigger）を有する。
ゴムリングを装着するために、実質上円錐形の先端部が、公知であり、ゴムリングの解放ピストンの先端部に結合されるように設計されている。
【０００３】
こうした装置の一例は独国特許第９２０５４５３号明細書に記載されており、これは、ゴムリングを伸張する装置を例示している。
この装置は、少なくとも円錐形の領域と円筒形の領域とを有し、複数の摺動ガイドを備えた先端部を備える。
この装置は、対応する複数のガイドの内側で平行移動可能な複数のリブによって先端部に沿って摺動可能な押し込み手段によって完成する。
【０００４】
上記の種類の装置はいくつかの欠点を有する。
第１に、先端部の幾何学的構造のため、装着段階で操作員の特別な注意力が必要になる。
リングを使用する際には、リングを強制的に伸張するために先端部の先頭から末尾まで押し込み手段を完全に摺動させる必要がある。
ゴムリングは、先端部の徐々に拡大する横断面と交差しなければならないため、ハウジングの座部に到達するまで押し込み手段を長時間にわたって使用する必要がある。
例えばユーザ側の一瞬の不注意によって、ゴムリングから押し込み手段を離した場合、リングは予め想定された位置から摺動して戻る。
【０００５】
同様に、リング装着操作に関する限り、先端部の先頭部分ですら欠点を有する。
操作員が先端部の第１の円筒形領域にリングを予め装着する時、リングがその位置から外れて床面に落ちることがあるが、この場合操作員は新しいリングを手にとって装着操作を再度行わなければならない。
【０００６】
また、先端部の末尾部分が第１および第２の円筒形領域を備え、第２の領域は、解放ピストル内に挿入される第１の領域よりも小さい直径を有するという事実は、解放装置に提供されたハウジング座部にリングを配置する操作についての欠点を構成する。
２つの円筒形領域の拡大した部分に解放装置の端部を当接配置している操作員が先端部を離すことにより、ゴムリングが解放ピストル上に正確に当接せず、むしろ第２の円筒形領域上に落ちることがある。
上記の状況では、リングが先端部の円筒形領域に堅固に固定されるので、ゴムリングを正しい位置に戻す操作は、それを実行する操作員にとって不都合なことに困難である。
【発明の概要】
【発明が解決しようとする課題】
【０００７】
この文脈で、本発明の根底にある技術的目的は、上記の先行技術の欠点を除去する、弾性材料（ゴム）リングを伸張する装置を提供することである。
【０００８】
特に、本発明の目的は、ゴムリングの装着操作を容易にする、弾性リングを伸張する装置を提供することである。
【０００９】
本発明のさらなる目的は、事前装着の段階において操作員の作業を容易にする、ゴムリングを伸張する装置を提供することである。
【００１０】
本発明のさらなる目的は、操作員による解放ピストルへのリングの装着を容易にする、ゴムリングを伸張する装置を提供することである。
【００１１】
本発明のさらなる目的は、リングを誤って装着した場合、操作員が簡単かつ即座にリングを正しい位置に戻せるようにする、ゴムリングを伸張する装置を提供することである。
【課題を解決するための手段】
【００１２】
設定された技術的目的および具体的な目的は、添付の特許請求の範囲の１項以上の請求項において記載された技術的特徴を備える、ゴムリングを伸張する装置によって実質上達成される。
【発明を実施するための形態】
【００１３】
本発明のさらなる特徴および利点は、ゴムリングを伸張する装置の好適であるが非排他的な実施形態に付随する非限定的な説明から明らかになるだろう。
本発明は、ゴムリングを伸張する装置に関する。
本装置は、例えば患者の肛門粘膜といった組織を結紮すべく解放ピストン上にゴムリングを装着する際に利用される。
本発明が、肛門に関連する痔疾の治療において利用されることは有利である。
【００１４】
装置は装着本体と押し込み手段とを備え、押し込み手段は、少なくとも１つのゴムリングを装着すべく本体上で摺動可能である。
押し込み手段は、内側に複数のリブが発達した中空本体を備える。
中空本体は、好適にはチューブ状の形状を有する。
中空本体は、押し込み手段の内側での装着本体の摺動を容易にするため、装着本体の外径よりも大きな内径を有する。
【００１５】
複数のリブは、中空本体の内側から始まり、中空本体の中心に向かって放射状に発達する。
複数のリブは中空本体の周囲にわたって均等に離間され、好適にはリブは少なくとも４つである。
４つのリブは中空本体の周囲にわたって互いに９０度間隔で配置されている。
【００１６】
各リブは、それぞれの頂部が装着本体に面する部分を末端とする実質上矩形の縁部を有する。
各頂部は、弾性リングに接触し、それを装着本体に沿って持ち上げる間、以下さらに詳細に説明するように、装着本体に提供された対応する溝と協働してリングを押し込む。
【００１７】
装着本体は、主要な方向Ｘ−Ｘに沿った発達方向を有する。
装着本体は、押し込み手段の複数のリブの、方向Ｘ−Ｘに沿った摺動を容易にすべく、主要な方向Ｘ−Ｘに平行な方向を各々有する複数の溝を有する。
複数の溝の各溝は径方向の進行を示す。
複数の溝の各溝は装着本体上で均一に延び、好適には前後の溝から９０度だけ離間される。
【００１８】
装着本体は、実質上円錐形の第１の部分と、第１の部分の下流に位置する第２の部分と、第２の部分の下流に位置する円筒形部分とを備える。
実質上円錐形の第１の部分は、外径Ｄを有する基部と頂部とを有する。
近位端部は外径Ｄ’を有し、遠位端部Ｄ’は外径ｄを有する。
近位端部の外径Ｄ’は遠位端部の外径ｄよりも大きい。
【００１９】
第２の部分は好適には円錐台形状を示す。
しかし、以下の発明の保護範囲を逸脱することなく、第２の部分は、第１の実質上円錐形のゾーンの基部の外径Ｄから始まって、徐々に縮小する断面を有する。
別言すれば、第２の部分は、近位端部から遠位端部まで、テーパー状の横断面を有する。
第２の円錐形の部分の近位端部は、第１の実質上円錐形の部分に面する。
【００２０】
第１の部分の遠位端部は、組織を結紮するための解放ピストルのチューブに結合する。
結合方式は以下により詳細に説明される。
【００２１】
近位端部は基部に隣接し、基部の外径Ｄは近位端部の外径Ｄ’と同じ大きさである。
より正確には、基部の外径Ｄは近位端部の外径Ｄ’に一致する。
この態様では、本体へのゴムリングの装着が非常に容易になる。
実際、押し込み手段を押し込むことと、ゴム自体の弾性力の効果とによって、実質上円錐形の第１の部分にかかったゴムは第２の部分に沿って自発的に平行移動してチューブ状本体のハウジングの座部に到達する。
結果として、押し込み手段は、装着本体に沿った行程の一部についてのみ操作される。すなわち、押し込み手段は、ゴムリングが第２の領域の外径Ｄ’にかかるまで操作される。
【００２２】
しかし、複数の溝の構造によって、押し込み手段は装着本体全体に沿って摺動できる。
これは、操作員が、従来の方法で、装置を見ないで装着を行い、患者に注意を集中できるようにするためである。
【００２３】
複数の溝を参照すると、各溝は装着本体全体にわたって延びる。
より正確には、複数の溝に属する各溝は、実質上円錐形の第１の部分の頂部の近傍に位置する第１の端部と、円筒形部分の近傍を末端とする第２の端部とを有する。
少なくとも１つの溝は、他の溝の第２の端部の前を末端とする当接要素を有する。
【００２４】
この態様では、押し込み手段の行程終端止め部（endrun stop）を提供することによって、装着本体に対する押し込み手段の進路を阻止することができる。
同様に、これら２つの構成要素は、装置が受け入れられる時に装着本体または押し込み手段が他方の構成要素に拘束されるように、２つの構成要素が相互に拘束された状態で予め組み立てられることができる。
【００２５】
第２の部分は遠位端部に座部を有する。
座部は、実質上環状であり、組織の弾性結紮のためピストルのチューブのハウジング座部として機能する。
【００２６】
第２の部分の第２の遠位端部はチューブと相互に貫入できる。
この態様では、遠位端部とピストルのチューブとの間には空間が形成されないので、ゴムリングをチューブの周囲に配置することが容易になる。
【００２７】
装着本体がチューブから偶発的に外れた場合、ゴムリングは押し込み手段の作用によって円筒形部分上に位置しようとする。
複数のガイドが長く延びているため、操作員は、押し込み手段の行程をたどって円筒形本体に沿ってゴムリングを押し込み、ゴムリングを容易に正しい位置に戻すことができる。
【００２８】
実質上円錐形の第１の部分は、事前装着手段を有する。
事前装着手段は、基部と頂部との間に位置し、実質上円錐形の第１の部分の断面の広がりによって画定される。
事前装着手段は、より好適には頂部の近傍に位置する。
事前装着手段は好適にはオジーブ形の（ogive）本体によって画定される。
【００２９】
この態様では、操作員はゴムリングを装着本体上に挿入し、それを事前装着手段の下流に配置した後、押し込み手段を利用してピストル上へのゴムリングの装着を完了することができる。
同じ態様において、事前装着手段によって、装置は使い捨て用途について製造されることができる。
装置は、ゴムリングがすでに装着本体上に設置され、事前装着手段の下流に配置された状態で、製造業者によって直接供給される。
この態様では、操作員は、ゴムリングに触れることなく、装着本体に沿って押し込み手段を摺動させることによってゴムリングを装着できる。
【００３０】
ゴムリングを伸張する装置はさらなる実施形態を有する。
実質上円錐形の第１の部分は、第１の複数のライザ（riser）によって画定される。
各ライザは均一に細分され、対応する溝を取り囲んでいる。
後部から見ると、すなわち、頂部が言わばシートに入っている状態で、複数のライザは十字形を取り囲んでおり、この十字形は複数の溝の空間によって画定される。
別言すれば、複数のライザはＬ形の対を画定し、各対は各々、仮想の水平面または垂直面を基準として、隣接する対に対してミラー配置される。
第１の複数のライザは、円錐形の部分の第１の母線Ｇを画定する。
同様に、第２の部分も、第２の複数のライザによって画定される。
第２の複数のライザは好適には第１の複数のライザに続いて同じ配置を有する。
第２の複数のライザも好適には円錐台形の第２の部分の第２の母線Ｇ’を画定する。
第１の複数のライザおよび第２の複数のライザは、装着本体を軽量にするため、内部に凹部を画定する。
凹部は装着本体を軽量にするだけでなく、装着本体に沿って摺動する際のゴムリングの接触面積を減少させる。
【００３１】
装置の機能は以下の通りである。
操作員は、ゴムリングの内側に第１の円錐形の部分の頂部を挿入することによってゴムリングを受け取る。
そして、操作員は、リングが事前装着手段を通過するまで、第１の円錐形の部分に沿ってゴムリングを押す。
さらなる実施形態では、装着本体は、事前装着手段の下流に配置されたゴムリングを予め有してもよい。
その後、操作員は作業を進め、結紮ピストル上に装着本体を結合させる。
この段階では、ピストルのチューブの内側に円筒形部分を結合するだけで十分である。
チューブが、第２の部分に存在する座部に衝突する時、ピストルは、ゴムリングを装着される態勢になる。
その後の段階で、操作員は、押し込み手段を持って装着本体に沿って摺動させ、実質上円錐形の第１の部分にかかるまでリングを押し込む。
リングは、第２の部分の外径Ｄ’を通過するや否や、その弾性のおかげで、操作員側がさらに操作することなく、自発的に第２の部分全体に沿って摺動し、チューブ上で止まる。
【００３２】
本発明は上記の目的を達成し、先行技術において指摘された欠点を除去する。
まず、装着本体の構造によって、結紮ピストルのチューブ上にゴムリングを容易に装着できる。
実質上円錐形の第１の部分の下流で断面が縮小する断面配置によって、リングは、円錐形の部分を通過した後、チューブに配置されるまで自発的に平行移動するようになる。
遠位端部に配置された座部は、チューブへのゴムリングの装着エラーの発生を劇的に減少させる。
チューブの一部が座部の内部に結合可能なため、装着本体とチューブとの間の表面の連続性が得られ、ゴムリングが円筒形の末端部分上に定置されることが妨げられる。
たとえゴムリングが誤って円筒形の部分上に位置したとしても、溝が、装着本体全体にわたって長く延びた構造であるため、本体上での押し込み手段の操作を継続するだけで、ゴムリングを簡単に正しい位置に戻すことができる。
事前装着手段が存在することによって、装着本体へのゴムリングの装着操作は容易になる。
一旦リングを手作業で挿入して事前装着手段の下流に押し込めば、リングを新たに取り外すことなく装着本体を操作できる。
同様に、事前装着手段が存在することによって、ゴムリングを伸張する使い捨て装置が実現可能である。
最後に、装着本体の第２の実施形態の複数のライザおよびは、装着本体の外面すなわちゴムリングとの接触面を劇的に縮小する。
このため、装着操作時の摩擦を減少させ、その結果、装着操作時にゴムリングが受ける引っ張り応力を減少させることが容易になる。
【手続補正２】
【補正対象書類名】特許請求の範囲
【補正対象項目名】全文
【補正方法】変更
【補正の内容】
【特許請求の範囲】
【請求項１】
プラスチックリングを伸張する装置であって、
内側に複数のリブが発達した中空本体によって画定される押し込み手段と、
方向（Ｘ−Ｘ）に沿って主に発達した、少なくとも１つのゴムバンドのための装着本体であって、対応する複数の溝上での前記複数のリブの、方向（Ｘ−Ｘ）に沿った摺動を容易にするための複数の溝を有する装着本体と
を備え、該装着本体が、
外径（Ｄ）を有する基部と、頂部とを有する第１の実質上円錐形の部分と、
外径（Ｄ’）を有する近位端部と、外径（ｄ）を有する遠位端部とを有し、前記近位端部が、前記遠位端部の外径（ｄ）よりも大きい前記外径（Ｄ’）を有する、第２の部分とを備え、
前記近位端部が前記基部に隣接し、該基部の外径（Ｄ）が前記近位端部の外径（Ｄ’）と同じ長さを有し、
前記第２の部分が円錐台形である、装置。
【請求項２】
前記押し込み手段によって前記ゴムバンドを装着する際に、最初に前記第１の実質上円錐形の部分に沿って前記ゴムバンドを伸張し、その後、前記第２の部分に沿って前記ゴムバンドを弾性復帰させるのを容易にするために、前記第２の部分の第１の近位端部が前記第１の実質上円錐形の部分の基部に一致する、請求項１に記載の装置。
【請求項３】
さらに、前記第２の部分の下流に位置する円筒形部分を備える、請求項１に記載の装置。
【請求項４】
前記複数の溝が前記装着本体全体に沿って延びる、請求項３に記載の装置。
【請求項５】
前記第１の円錐形の部分および第２の部分の全長にわたって前記押し込み手段を摺動させるのを容易にするために、前記複数の溝に属する各溝が、前記頂部の近傍に位置する第１の端部と、前記円筒形部分の近傍を末端とする第２の端部とを有する、請求項４に記載の装置。
【請求項６】
前記遠位端部が、組織の弾性結紮用ピストルのチューブの内側への収容を容易にするための座部を有する、請求項１に記載の装置。
【請求項７】
さらに、前記第１の円錐形の部分の断面の広がりによって画定される事前装着用手段であって、好適には前記頂部の近傍において、該頂部と前記基部との間に位置する事前装着用手段を備える、請求項１に記載の装置。
【請求項８】
前記事前装着用手段が好適にはオジーブ形の円錐本体によって画定される、請求項１に記載の装置。
【請求項９】
前記実質上円錐形の第１の部分が、該円錐形の第１の部分の第１の母線を画定する第１の複数のライザによって画定される、請求項１に記載の装置。
【請求項１０】
前記実質上円錐形の第２の部分が、該円錐形の第２の部分の第２の母線を画定する第２の複数のライザによって画定される、請求項１に記載の装置。
【請求項１１】
前記第１の複数のライザおよび第２の複数のライザが、前記装着本体を軽量にするためのそれぞれの凹部を内部に画定する、請求項９および１０に記載の装置。
【手続補正３】
【補正対象書類名】図面
【補正対象項目名】全図
【補正方法】削除
【補正の内容】
【国際調査報告】
2012520110.tif 000011
2012520110.tif 000012